(57)【特許請求の範囲】
【請求項１】
内側に家庭用薄葉紙をロール状に巻回した状態で収納すると共に、収納された前記家庭用薄葉紙を外側に取り出すための開口部が形成された容器本体と、前記開口部を開閉するように前記容器本体に取り付けられ、上面に家庭用薄葉紙を外側に取り出すための取出部を有する蓋体と、を備える家庭用薄葉紙収納容器であって、
前記容器本体内のロール状の家庭用薄葉紙の外周面に当接して、当該家庭用薄葉紙を取り出す際の当該家庭用薄葉紙の上方への持ち上がりを防止する持ち上がり防止手段を備え、
前記持ち上がり防止手段は、
前記蓋体又は前記容器本体の内側面に対向して設けられた一対の回動軸と、
前記一対の回動軸の軸周りに回動可能に連結され、下側に突出する一対の下突出片と、
前記一対の回動軸の軸周りに前記下突出片と連動して回動可能に連結され、前記取出部に向かって斜め上方に突出する一対の上突出片と、を備え、
前記容器本体に収納された家庭用薄葉紙を前記取出部から取り出す際、ロール状の家庭用薄葉紙の上部が前記上突出片に当接することで、前記下突出片がロール状の家庭用薄葉紙に向けて回動してロール状の家庭用薄葉紙の外周面に当接することを特徴とする家庭用薄葉紙収納容器。
【請求項２】
内側に家庭用薄葉紙をロール状に巻回した状態で収納すると共に、収納された前記家庭用薄葉紙を外側に取り出すための開口部が形成された容器本体と、前記開口部を開閉するように前記容器本体に取り付けられ、上面に家庭用薄葉紙を外側に取り出すための取出部を有する蓋体と、を備える家庭用薄葉紙収納容器であって、
前記容器本体内のロール状の家庭用薄葉紙の外周面に当接して、当該家庭用薄葉紙を取り出す際の当該家庭用薄葉紙の上方への持ち上がりを防止する持ち上がり防止手段を備え、
前記持ち上がり防止手段は、
前記蓋体又は前記容器本体の内側面に対向して設けられた一対の回動軸と、
前記一対の回動軸の軸周りに回動可能に連結され、下側に突出する一対の下突出片と、
前記一対の下突出片を各々ロール状の家庭用薄葉紙に向けて回動する付勢力を付与する一対の弾性部材と、を備え、
前記弾性部材により前記下突出片がロール状の家庭用薄葉紙に向けて回動してロール状の家庭用薄葉紙の外周面に当接することを特徴とする家庭用薄葉紙収納容器。
【請求項３】
前記下突出片の先端部が鋸刃形状となっていることを特徴とする請求項１又は２記載の家庭用薄葉紙収納容器。
【請求項４】
前記下突出片は、長手方向の所定位置でロール状の家庭用薄葉紙に向けて屈曲していることを特徴とする請求項１〜３の何れか一項に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
家屋の床やトイレ、或いは人体などを拭くための家庭用薄葉紙を収納する家庭用薄葉紙収納容器は、容器本体が上下に分離可能に構成され、上側の容器本体の上面にはスリットや小孔からなる家庭用薄葉紙の取出部が形成されているものが広く知られている（例えば、特許文献１参照）。
そして、家庭用薄葉紙収納容器の取出部は、内部の家庭用薄葉紙を取り出す際に、当該薄葉紙に適度に摺動抵抗を付与するようになっており、これにより、ロール状に巻回された状態の家庭用薄葉紙をミシン目で分離させて一枚ずつの取り出しを可能としている。また、取出部は、その摺動抵抗により、取り出された家庭用薄葉紙の次の家庭用薄葉紙が容器内部に戻らないようにその端部を保持して、次の家庭用薄葉紙の取り出しを容易にする機能も併せ持っている。
【先行技術文献】
【特許文献】
【０００３】
【特許文献１】特開２００９−２８６４２７号公報
【発明の概要】
【発明が解決しようとする課題】
【０００４】
ところで、上述のような取出部を有する家庭用薄葉紙収納容器は、内部のロール状の家庭用薄葉紙が残り少なくなると、自重が軽くなり、ロール状の家庭用薄葉紙全体が持ち上がってしまい、最初のミシン目で切れずに２枚以上の家庭用薄葉紙が連なって出てくる不具合、或いはロール状の家庭用薄葉紙が取出部に引っ掛かってなかなか取り出せないという不具合が発生するという問題があった。
【０００５】
本発明の課題は、ロール状に巻回された家庭用薄葉紙が収納された容器内部から家庭用薄葉紙を最後の一枚までスムーズに取り出すことができる家庭用薄葉紙収納箱を提供することである。
【課題を解決するための手段】
【０００７】
請求項１記載の発明は、
内側に家庭用薄葉紙をロール状に巻回した状態で収納すると共に、収納された前記家庭用薄葉紙を外側に取り出すための開口部が形成された容器本体と、前記開口部を開閉するように前記容器本体に取り付けられ、上面に家庭用薄葉紙を外側に取り出すための取出部を有する蓋体と、を備える家庭用薄葉紙収納容器であって、
前記容器本体内のロール状の家庭用薄葉紙の外周面に当接して、当該家庭用薄葉紙を取り出す際の当該家庭用薄葉紙の上方への持ち上がりを防止する持ち上がり防止手段を備え、
前記持ち上がり防止手段は、
前記蓋体又は前記容器本体の内側面に対向して設けられた一対の回動軸と、
前記一対の回動軸の軸周りに回動可能に連結され、下側に突出する一対の下突出片と、
前記一対の回動軸の軸周りに前記下突出片と連動して回動可能に連結され、前記取出部に向かって斜め上方に突出する一対の上突出片と、を備え、
前記容器本体に収納された家庭用薄葉紙を前記取出部から取り出す際、ロール状の家庭用薄葉紙の上部が前記上突出片に当接することで、前記下突出片がロール状の家庭用薄葉紙に向けて回動してロール状の家庭用薄葉紙の外周面に当接することを特徴とする。
【０００８】
また、請求項２記載の発明は、
内側に家庭用薄葉紙をロール状に巻回した状態で収納すると共に、収納された前記家庭用薄葉紙を外側に取り出すための開口部が形成された容器本体と、前記開口部を開閉するように前記容器本体に取り付けられ、上面に家庭用薄葉紙を外側に取り出すための取出部を有する蓋体と、を備える家庭用薄葉紙収納容器であって、
前記容器本体内のロール状の家庭用薄葉紙の外周面に当接して、当該家庭用薄葉紙を取り出す際の当該家庭用薄葉紙の上方への持ち上がりを防止する持ち上がり防止手段を備え、
前記持ち上がり防止手段は、
前記蓋体又は前記容器本体の内側面に対向して設けられた一対の回動軸と、
前記一対の回動軸の軸周りに回動可能に連結され、下側に突出する一対の下突出片と、
前記一対の下突出片を各々ロール状の家庭用薄葉紙に向けて回動する付勢力を付与する一対の弾性部材と、を備え、
前記弾性部材により前記下突出片がロール状の家庭用薄葉紙に向けて回動してロール状の家庭用薄葉紙の外周面に当接することを特徴とする。
【０００９】
また、請求項３記載の発明は、請求項１又は２記載の家庭用薄葉紙収納容器において、
前記下突出片の先端部が鋸刃形状となっていることを特徴とする。
【００１０】
また、請求項４記載の発明は、請求項１〜３の何れか一項に記載の家庭用薄葉紙収納容器において、
前記下突出片は、長手方向の所定位置でロール状の家庭用薄葉紙に向けて屈曲していることを特徴とする。
【発明の効果】
【００１１】
本発明によれば、持ち上がり防止手段が容器本体内のロール状の家庭用薄葉紙の外周面に当接することで、家庭用薄葉紙を取り出す際の当該家庭用薄葉紙の上方への持ち上がりが防止されるので、最初のミシン目で切れずに２枚以上の家庭用薄葉紙が連なって出てくる不具合、或いはロール状の家庭用薄葉紙が取出部に引っ掛かってなかなか取り出せないという不具合がなくなることとなって、家庭用薄葉紙を最後の一枚までスムーズに容器本体から取り出すことができる。
【図面の簡単な説明】
【００１２】
【図１】第１実施形態の家庭用薄葉紙収納容器を正面から見た断面図である。
【図２】図１の家庭用薄葉紙収納容器を正面上方から見た外観斜視図である。
【図３】図１の家庭用薄葉紙収納容器の蓋体を示す斜視図である。
【図４】図１の家庭用薄葉紙収納容器の作用を説明するための図である。
【図５】図１の家庭用薄葉紙収納容器の作用を説明するための図である。
【図６】持ち上がり防止手段の変形例を示す図である。
【図７】第２実施形態の家庭用薄葉紙収納容器を正面から見た断面図である。
【図８】図７の家庭用薄葉紙収納容器の容器本体を示す斜視図である。
【図９】図７の家庭用薄葉紙収納容器の作用を説明するための図である。
【発明を実施するための形態】
【００１３】
以下、図を参照して、本発明に係る家庭用薄葉紙収納容器の具体的な態様を詳細に説明する。ただし、発明の範囲は、図示例に限定されない。
【００１４】
＜第１実施形態＞
先ず、構成について説明する。
家庭用薄葉紙収納容器（以下、収納容器という）１００は、図１〜３に示すように、例えば、内側に家庭用薄葉紙Ｐ（例えば、ドライ或いはウェット状態のシートやティッシュペーパー等）をロール状に巻回した状態で収納すると共に、収納された家庭用薄葉紙Ｐを外側に取り出すための開口部１１が形成された容器本体１０と、開口部１１を開閉するように容器本体１０に取り付けられ、上面に家庭用薄葉紙Ｐを外側に取り出すための取出部２１を有する蓋体２０と、を備えて構成されている。
この収納容器１００に収納するロール状に巻かれた家庭用薄葉紙Ｐには、長さ方向に一定間隔をおいてミシン目が施されており、そのミシン目に沿って切り離したサイズの家庭用薄葉紙Ｐを、ユーザが使用するようになっている。
【００１５】
容器本体１０は、底部から上端部近傍までほぼ一定の略円筒状であり、上面には大きく開口した開口部１１を有している。また、この容器本体１０の上端部の外周面には、周方向に沿って雄ネジ部が形成されている。
容器本体１０は、円筒状であることから、前述したロール状の家庭用薄葉紙Ｐをほぼ同心位置に配置して収納することを可能としている。また、家庭用薄葉紙Ｐは、ロールの中心側から紙片を繰り出すようになっている。
この容器本体１０は、例えば、ＰＥ（ポリエチレン）やＰＰ（ポリプロピレン）、或いはＰＥＴ（ポリエチレンテレフタレート）、ＡＢＳ（Acrylonitrile Butadiene Styrene）樹脂等を用いて、射出成形、二色成形、ブロー成形等により一体的に形成されている。
【００１６】
蓋体２０は、容器本体１０に比べて丈の短い円筒状であって、その上端側は天面部２２により閉塞され、下端部は開口している。また、蓋体２０は外径は容器本体１０の外径とほぼ等しく、その内周面には容器本体１０の雄ネジ部に螺合する雌ネジ部が形成されている。この雌ネジ部により、蓋体２０は前述した容器本体１０の上端部に対して着脱可能となっている。
蓋体２０は着脱可能であるため、容器本体１０から取り外した状態では、容器本体１０の内部に家庭用薄葉紙Ｐを充填することを可能とし、蓋体２０を容器本体１０に取り付けた状態では内部の家庭用薄葉紙Ｐのロールが外に出ないように保持することを可能とする。
この蓋体２０は、例えば、ＰＥやＰＰ、或いはＰＥＴ、ＡＢＳ樹脂等を用いて、射出成形、二色成形、ブロー成形等により一体的に形成されている。
【００１７】
蓋体２０の天面部２２の中央部には、凹部２３が形成されており、当該凹部２３に嵌合するように小蓋２５が天面部２２に取り付けられている。
また、凹部２３の中央部には、円筒部２４が立設されており、その内側が上下に貫通して取出部２１となっている。この円筒部２４の上端には周外に向かって突出したフランジ状の係止部２４ａが形成され、小蓋２５を閉じたときに係止することを可能としている。
【００１８】
ここで、取出部２１は、容器本体１０に蓋体２０を取り付けたままの状態で、内側の家庭用薄葉紙Ｐを取り出すためのものである。
取出部２１は、例えば、平面視で十字状の切り込みにより形成され、家庭用薄葉紙Ｐがその中心を上方に向かって通過する際に、当該家庭用薄葉紙Ｐに適度に摺動抵抗を付与するようになっている。これにより、家庭用薄葉紙Ｐの使用時にその摺動抵抗が家庭用薄葉紙Ｐに作用し、ミシン目からの分離が促されると共に、次の家庭用薄葉紙Ｐの先端部が取出部２１に挟まれた状態で保持されるので、容器本体１０に戻ることが防止され、次の家庭用薄葉紙Ｐをすぐに使用することが可能となる。
この取出部２１は、小蓋２５のＹ軸回りの回動により開閉が行われる。小蓋２５は、その後端部近傍に、当該小蓋２５をＹ軸方向に沿って折曲可能とするヒンジ部（図示省略）を備えており、凹部２３に嵌合して取出部２１を閉じた状態から、起立して取出部２１を開いた状態まで、回動することが可能となっている。なお、この小蓋２５は、家庭用薄葉紙Ｐを取り出す際に開状態とされる以外は、通常閉状態に維持されている。
【００１９】
蓋体２０の内部には、取出部２１から家庭用薄葉紙Ｐを取り出す際の当該家庭用薄葉紙Ｐの上方への持ち上がりを防止する持ち上がり防止手段３０が設置されている。
持ち上がり防止手段３０は、蓋体２０の内側面に対向して設けられた一対の回動軸３１，３１と、一対の回動軸３１，３１の軸周りに回動可能に連結され、下側に突出する一対の下突出片３２，３２と、一対の回動軸３１，３１の軸周りに下突出片３２，３２と連動して回動可能に連結され、取出部２１に向かって斜め上方に突出する一対の上突出片３３，３３と、を備えて構成されている。
【００２０】
回動軸３１，３１は、蓋体２０の内部を前後方向（Ｘ方向）に延在する、互いに平行な円柱であって、その両端部が蓋体２０の内壁に固定されている。
下突出片３２，３２は、縦横に所定の幅を有する板体であって、長手方向（Ｚ方向）の所定位置で、ロール状の家庭用薄葉紙Ｐに向けて互いに対向するように屈曲し、その先端部（下端部）が鋸刃形状となっている。
上突出片３３，３３は、縦横に所定の幅を有する四角形状の板体であり、左右の上突出片３３，３３の先端部（上端部）同士の間隙が、家庭用薄葉紙Ｐの左右方向の幅よりも狭くなるように設定されている。
【００２１】
下突出片３２と上突出片３３とは、回動軸３１を挟んで所定の角度を成す断面視くの字形状及び逆くの字形状に形成されている。そして、回動軸３１の回動に連動して、左右の上突出片３３，３３の先端部（上端部）同士の間隙と、左右の下突出片３２，３２の先端部（下端部）同士の間隙と、が変化するようになっている。
従って、持ち上がり防止手段３０は、家庭用薄葉紙Ｐが取出部２１から引き出される際に全体が上方へ持ち上がり、当該家庭用薄葉紙Ｐの上部が上突出片３３，３３の下面に当接した場合、これに応じて回動して下突出片３２の下端部を外周面に当接させ、これにより、家庭用薄葉紙Ｐが、それ以上上方へ持ち上がるのを防止することを可能としている。
【００２２】
また、この持ち上がり防止手段３０は、例えば、ＰＥやＰＰ、或いはＰＥＴ、ＡＢＳ樹脂等を用いて形成することが可能であるが、家庭用薄葉紙Ｐを引き出すための力が加えられた際に折れ曲がりなどの変形が起こらないように、硬質な素材が用いられることが好ましい。
【００２３】
次に、作用について説明する。
本実施形態においては、ロール状の家庭用薄葉紙Ｐを容器本体１０に入れ、その上方から持ち上がり防止手段３０の下突出片３２，３２の先端部を開いて家庭用薄葉紙Ｐを挟み込むように挿し込んだ後、容器本体１０と蓋体２０とを螺合させることで、容器本体１０の内部において、ロール状の家庭用薄葉紙Ｐが、持ち上がり防止手段３０の間に位置する状態となっている。
家庭用薄葉紙Ｐは、使い始めの段階では、図４に示すように、自重により容器本体１０の内部下方に位置しているが、残り少なくなって自重が軽くなると、取出部２１から引き出される力がかかった場合に容器本体１０の内部上方へ持ち上がってくる。
家庭用薄葉紙Ｐが内部上方へ持ち上がってきた場合、図５に示すように、その上部が持ち上がり防止手段３０の上突出片３３，３３の下面に当接する。すると、下突出片３２，３２が家庭用薄葉紙Ｐに向けて回動して、その先端部が当該家庭用薄葉紙Ｐの外周面に当接する。ここにおいて、家庭用薄葉紙Ｐは、それ以上上方に持ち上がることなく、その状態（位置）にて家庭用薄葉紙Ｐが取出部２１から引き出されることとなる。
そして、それ以降、より自重が軽くなった場合でも、家庭用薄葉紙Ｐは、同様にして、持ち上がり防止手段３０により上方へ持ち上がることが防止されるため、最後の１枚までスムーズに取り出すことができる。
【００２４】
以上のように、本実施形態の収納容器１００によれば、持ち上がり防止手段３０が容器本体１０内のロール状の家庭用薄葉紙Ｐの外周面に当接することで、家庭用薄葉紙Ｐを取り出す際の当該家庭用薄葉紙Ｐの上方への持ち上がりが防止されるので、最初のミシン目で切れずに２枚以上の家庭用薄葉紙Ｐが連なって出てくる不具合、或いはロール状の家庭用薄葉紙Ｐが取出部２１に引っ掛かってなかなか取り出せないという不具合がなくなることとなって、家庭用薄葉紙Ｐを最後の一枚までスムーズに容器本体１０から取り出すことができる。また、このため、取出部２１に破損が起こるのを防止することができる。
【００２５】
また、本実施形態の収納容器１００によれば、下突出片３２，３２の先端部が鋸刃形状となっている。このため、家庭用薄葉紙Ｐをより押さえやすくすることができる。
【００２６】
また、本実施形態の収納容器１００によれば、下突出片３２，３２は、長手方向の所定位置でロール状の家庭用薄葉紙Ｐに向けて屈曲している。このため、家庭用薄葉紙Ｐをより押さえやすくすることができる。
【００２７】
なお、上記実施形態においては、下突出片３２，３２は、長手方向の所定位置でロール状の家庭用薄葉紙Ｐに向けて屈曲し、その先端部が鋸刃形状となっているものを例示して説明したが、下突出片３２，３２は、ロール状の家庭用薄葉紙Ｐを押さえられるものであれば、その形状は限定されない。
例えば、図６（ａ）に示すように、長手方向の所定位置で屈曲させて先端部は直線状としても良いし、図６（ｂ）に示すように、長手方向で屈曲させず先端部は直線状としても良いし、図６（ｃ）に示すように、長手方向で屈曲させず先端部を鋸刃形状としても良い。
【００２８】
また、上記実施形態においては、持ち上がり防止手段３０は、蓋体２０に設けられた構成を例示しているが、容器本体１０の内側面に設けることも可能である。
【００２９】
＜第２実施形態＞
次に、本発明の第２実施形態について説明する。
なお、第１実施形態と同様の構成については、同一の符号を付してその説明は省略する。
【００３０】
本実施形態の収納容器２００は、図７、８に示すように、容器本体１０Ａと、蓋体２０Ａと、を備えている。
【００３１】
容器本体１０Ａは、その内部に、取出部２１から家庭用薄葉紙Ｐを取り出す際の当該家庭用薄葉紙Ｐの上方への持ち上がりを防止する持ち上がり防止手段４０を備えている。
【００３２】
持ち上がり防止手段４０は、容器本体１０Ａの内側面に対向して設けられた一対の回動軸４１，４１と、一対の回動軸４１，４１の軸周りに回動可能に連結され、下側に突出する一対の下突出片４２，４２と、一対の下突出片４２，４２を各々ロール状の家庭用薄葉紙Ｐに向けて回動する付勢力を付与する一対の弾性部材４３，４３と、を備えて構成されている。
【００３３】
回動軸４１，４１は、容器本体１０Ａの内部を前後方向（Ｘ方向）に延在する、互いに平行な円柱であって、その両端部が容器本体１０Ａの内壁に固定されている。
下突出片４２，４２は、縦横に所定の幅を有する板体であって、その先端部（下端部）が鋸刃形状となっている。
弾性部材４３，４３は、例えば、回動軸４１，４１に設けられたねじりコイルばねであって、ねじりコイルばねの一端は、容器本体１０Ａに固定され、他端は、下突出片４２，４２の下面に固定され、これにより、下突出片４２，４２が付勢されている。
【００３４】
本実施形態においては、持ち上がり防止手段４０の上方から家庭用薄葉紙Ｐを挿し込むと、下突出片４２，４２の下端部が容器本体１０Ａの内壁に向かって撓るため家庭用薄葉紙Ｐを家庭用薄葉紙Ｐの内部の奥まで収納することができる。
そして、持ち上がり防止手段４０の下突出片４２，４２は、家庭用薄葉紙の外周面に当接し、下突出片４２，４２は、家庭用薄葉紙Ｐに左右方向の付勢力を付与しているため、家庭用薄葉紙Ｐが、それ以上上方へ持ち上がるのを防止することを可能としている。
【００３５】
また、蓋体２０Ａは、持ち上がり防止手段３０を備えない以外は、第１実施形態の蓋体２０と同様の構成である。
【００３６】
次に、作用について説明する。
本実施形態の収納容器２００では、容器本体１０Ａの内部において、ロール状の家庭用薄葉紙Ｐは、持ち上がり防止手段４０の間に位置する状態となっている。
家庭用薄葉紙Ｐは、残り少なくなって自重が軽くなると、取出部２１から引き出される力がかかった場合に容器本体１０Ａの上方へ持ち上がってくる。
家庭用薄葉紙Ｐが上方へ持ち上がってきた場合、図９に示すように、持ち上がり防止手段４０の下突出片４２，４２が外周面に当接し、家庭用薄葉紙Ｐに上方へ持ち上がる力と抗する力をかけるため、上方への持ち上がりが防止され、最後の１枚までスムーズに取り出すことができる。
【００３７】
以上のように、本実施形態の収納容器２００によれば、持ち上がり防止手段４０により、容器本体１０Ａ内のロール状の家庭用薄葉紙Ｐの外周面に当接することで当該家庭用薄葉紙Ｐを取り出す際の当該家庭用薄葉紙Ｐの上方への持ち上がりが防止されるので、最初のミシン目で切れずに２枚以上の家庭用薄葉紙Ｐが連なって出てくる不具合、或いはロール状の家庭用薄葉紙Ｐが取出部２１に引っ掛かってなかなか取り出せないという不具合がなくなることとなって、家庭用薄葉紙Ｐを最後の一枚までスムーズに容器本体から取り出すことができる。また、このため、取出部２１に破損が起こるのを防止することができる。
【００３８】
なお、本実施形態においても、下突出片４２，４２は、ロール状の家庭用薄葉紙Ｐを押さえられるものであれば、その形状は限定されない。
また、上記実施形態においては、持ち上がり防止手段４０は、容器本体１０Ａに設けられた構成を例示しているが、蓋体２０Ａの内側面に設けることも可能である。
【符号の説明】
【００３９】
１００、２００  収納容器（家庭用薄葉紙収納容器）
１０、１０Ａ  容器本体
１１  開口部
２０、２０Ａ  蓋体
２１  取出部
２２  天面部
２３  凹部
２４  円筒部
２４ａ  係止部
２５  小蓋
３０  持ち上がり防止手段
３１  回動軸
３２  下突出片
３３  上突出片
４０  持ち上がり防止手段
４１  回動軸
４２  下突出片
４３  弾性部材 
Ｐ  家庭用薄葉紙
【図１】
0005581140.tif 000002
【図２】
0005581140.tif 000003
【図３】
0005581140.tif 000004
【図４】
0005581140.tif 000005
【図５】
0005581140.tif 000006
【図６】
0005581140.tif 000007
【図７】
0005581140.tif 000008
【図８】
0005581140.tif 000009
【図９】
0005581140.tif 000010